(57)【要約】【課題】器具本体の前面に取り付けられ２分割されたセードの前端部の垂れ下がりを防止して、両セード間の隙間を均一にすることにより外観を改善することのできる照明器具を提供する。【解決手段】被取付面１１に取り付けられるベースプレート２２の前面２２１に、一対のセード３１、３２の基端部を締結具３３により取り付ける際に、一対のセード３１、３２の先端部３７が相互に押し付けあうようにするので、２分割されたセード３１、３２の前端部の垂れ下がりを防止して隙間を均一にし、外観を改善することができる。【選択図】図２
2010272294.tif 000002
【特許請求の範囲】
【請求項１】
一方の面に光源を装着するソケットを有し他方の面が被取付面に対向して取付けられるベースプレートと、前記ベースプレートの対向する一対の縁部から前記被取付面に対して直交方向へ突出するブラケットと、を有する器具本体と、
基端部が締結具により前記ブラケットに取り付けられて前記器具本体を覆う一対のセードと、を有し、
前記一対のセードの先端部が相互に押し付け合っていることを特徴とする照明器具。
【請求項２】
前記一対のセードの少なくとも一方のセードの先端部には、他方のセードの先端部に当接する複数個の突起が設けられていることを特徴とする請求項１記載の照明器具。
【発明の詳細な説明】
【技術分野】
【０００１】
本発明は、被取付部に取り付けられ光源を有する器具本体を、一対のセードにより覆う照明器具に関するものである。
【背景技術】
【０００２】
図７に示すように、従来の照明器具１００として、被取付部である壁面１０１に取り付けられ光源であるランプを有する器具本体１０２を、セード１０３により覆うものが知られている（例えば特許文献１参照）。
器具本体１０２は板状をしており、一方の面にはランプソケット１０４が配置されており、ランプを着脱自在に保持する。他方の面は、壁面１０１に取り付けられた取付板１０５に対向して取り付けられる。セード１０３は全体コ字状をしており上方および下方が開口している。器具本体１０２の上端には、上ルーバー１０６が上下に回動可能に取り付けられており、セード１０３の上開口部を開閉する。同様に、器具本体１０２の下端には、下ルーバー１０７が上下に回動可能に取り付けられており、セード１０３の下開口部を開閉する。これにより、壁面１０１に取り付けた照明器具１００が、ルーバー１０６、１０７を介して天井面および床面の照明を行う。
【先行技術文献】
【特許文献】
【０００３】
【特許文献１】特開２００４−２２３１５号公報（第１図）
【発明の概要】
【発明が解決しようとする課題】
【０００４】
ところで、ランプおよび器具本体を覆うセードを、上下に２分割して器具本体の前面に取り付ける場合がある。このような場合には、セードの前端部が自重によって下がるため、両セードの突合せ部分の隙間を無くしたり、均一にしたりすること等が困難であり、外観が悪くなるという問題があった。
【０００５】
本発明は、従来の問題を解決するためになされたもので、器具本体の前面に取り付けられ２分割されたセードの前端部の垂れ下がりを防止して、両セード間の隙間を均一にすることにより外観を改善することのできる照明器具を提供することを目的とする。
【課題を解決するための手段】
【０００６】
本発明の照明器具は、一方の面に光源を装着するソケットを有し他方の面が被取付面に対向して取付けられるベースプレートと、前記ベースプレートの対向する一対の縁部から前記被取付面に対して直交方向へ突出するブラケットと、を有する器具本体と、基端部が締結具により前記ブラケットに取り付けられて前記器具本体を覆う一対のセードと、を有し、前記一対のセードの先端部が相互に押し付け合っている構成を有している。
【０００７】
この構成により、被取付面に取り付けられるベースプレートの前面に、一対のセードの基端部を締結具により取り付ける際に、一対のセードの先端部が相互に押し付けあうようにするので、２分割されたセードの前端部の垂れ下がりを防止して隙間を均一にし、外観を改善することができる。
【０００８】
また、本発明の照明器具は、前記一対のセードの少なくとも一方のセードの先端部には、他方のセードの先端部に当接する複数個の突起が設けられている構成を有している。
【０００９】
この構成により、一対のセードの少なくとも一方のセードの先端部に、他方のセードに当接する突起が設けられているので、両セードの突合せ部分の隙間を突起の高さで一定にすることができる。
【発明の効果】
【００１０】
本発明は、被取付面に取り付けられるベースプレートの前面に、一対のセードの基端部を締結具により取り付ける際に、一対のセードの先端部が相互に押し付けあうようにするので、２分割されたセードの前端部の垂れ下がりを防止して隙間を均一にし、外観を改善することができるという効果を有する照明器具を提供することができるものである。
【図面の簡単な説明】
【００１１】
【図１】（Ａ）は本発明の実施形態にかかる照明器具を上から見た斜視図、（Ｂ）は下から見た斜視図
【図２】本発明の実施形態にかかる照明器具の分解斜視図
【図３】セードを取り付ける前の状態を示す断面図
【図４】セードを取り付けた状態を示す断面図
【図５】セードに設けられた取付部を示す拡大断面図
【図６】セードに設ける突起の配置を示す斜視図
【図７】従来の照明器具の分解斜視図
【発明を実施するための形態】
【００１２】
以下、本発明の実施形態の照明器具について、図面を用いて説明する。
図１に示すように、本発明の実施形態にかかる照明器具１０は、被取付部である例えば壁面１１に取り付けて、光源であるランプ２１（図３参照）からの光を天井面および床面に照射して間接照明するのに用いることができる。この照明器具１０は、壁面１１に取り付けられる器具本体２０と、器具本体２０の前面に着脱可能に取り付けられるセード３０を有する。なお、ランプ２１としては、例えば渦巻き型蛍光ランプを用いることができる。
【００１３】
図２に示すように、器具本体２０は例えば金属板で全体略矩形状に形成されており、一方の面である前面２２１にランプ２１を装着するソケット２３を有するとともに、他方の面である背面２２２が壁面１１に対向して取付けられるベースプレート２２を有する。ベースプレート２２には端子台２５が取り付けられており、壁の内部あるいは壁面１１に沿って配線された電源線２６の先端部が、貫通穴２２３を介して前面２２１側に引き出されて接続されている。また、ソケット２３はベースプレート２２前面２２１の左右一端部に設けられており、ランプ２１を中央側に装着するようになっている。ソケット２３は、配線２７によって端子台２５と電気的に接続されており、ランプ２１を点灯させる電力の供給を受ける。
【００１４】
図３および図４にも示すように、ベースプレート２２の対向する一対の縁部である上縁および下縁には、ベースプレート２２から突出する舌片を壁面１１に対して直交方向（図３において右方向）へ折り曲げて、上下一対のブラケット２４ａ、２４ｂが突設されている。両ブラケット２４ａ、２４ｂは壁面１１に対して直角に設けられており、セード３０を取り付ける取付面２４２である上面および下面は、水平となっている。各ブラケット２４ａ、２４ｂの中央には、セード３０を取り付けるためのネジ穴２４１が設けられている。
【００１５】
セード３０は上下に２分割されており、上セード３１および下セード３２を有する。各セード３１、３２は、例えば半円筒形状をしており、外周壁３４の外側の端部（上セード３１では上端部、下セード３２では下端部）にルーバー３５を有し、内側の端部は開口している。各セード３１、３２は、締結具であるネジ３３により、ブラケット２４ａ、２４ｂに着脱可能に取り付けられる。
【００１６】
図３に示すように、セード３０の基端部であるルーバー３５の壁面１１側端部には、平面状の取付部３６が設けられている。取付部３６は、内面側にブラケット２４ａ、２４ｂが嵌合する大きさおよび形状をした凹部３６１を有しており、中央にはネジ３３が貫通する貫通穴３６２を有する。図４に示すように、上下セード３１、３２を器具本体２０に取り付けた状態では、上セード３１においては取付部３６の内側面３６３である下面がブラケット２４ａの上面に接触し、下セード３２においては取付部３６の内側面３６３である上面がブラケット２４ｂの下面に接触する。
【００１７】
また、図５に示すように、各セード３１、３２を水平に保持した状態で、取付部３６の内側面３６３（すなわち、取付状態でブラケット２４ａ、２４ｂに接触する面）は、水平面ＨＰに対して先端側が開く方向に傾斜している。すなわち、上セード３１においては取付部３６の下面（３６３）が水平面ＨＰに対して先端側が上昇する方向に傾斜し、下セード３２においては取付部３６の上面（３６３）が水平面ＨＰに対して下降する方向へ傾斜している。
【００１８】
図６に示すように、外周壁３４の内側端に沿って、枠部３７が設けられている。枠部３７は内側面３７１が平面状であり、上セード３１および下セード３２のうちの少なくとも一方の内側面３７１には、複数個の突起３７２が設けられている。ここでは、上セード３１および下セード３２の両方に突起３７２を２個ずつ設けた場合を例示した。各セード３１、３２に設けられた突起３７２は、取付けたときに所定間隔で交互の位置となるように配置する。図３および図４にも示すように、突起３７２のうちの最も基端側（壁面１１側）の突起３７２ａは、ブラケット２４ａ（２４ｂ）のネジ穴２４１の位置よりも壁面１１側に設ける。
なお、各セード３１、３２は、外周壁３４（枠部３７および突起３７２を含む）およびルーバー３５を、乳白色のアクリルで一体成型するのが望ましい。
【００１９】
従って、図３に示すように、上セード３１の器具本体２０への取付けは、ブラケット２４ａの上側からブラケット２４ａを取付部３６の凹部３６１に嵌合させ、ネジ３３を上から貫通穴３６２に挿入してブラケット２４ａのネジ穴２４１に螺合させて締付ける。また、下セード３２の器具本体２０への取付けは、ブラケット２４ｂの下側からブラケット２４ｂを取付部３６の凹部３６１に嵌合させ、ネジ３３を下から貫通穴３６２に挿入してブラケット２４ｂのネジ穴２４１に螺合させて締付ける。
【００２０】
このとき、両ブラケット２４ａ、２４ｂの取付面２４２は水平に設けられており、各セード３１、３２の取付部３６の内側面３６３は水平面ＨＰよりも外側へ傾斜しているので、ネジ３３を締付けることにより、各セード３１、３２の前端部を中心側へ移動させる力が作用する（図４中矢印Ａ、Ｂ）。すなわち、上セード３１では、前端部を下降させ、下セード３２では前端部を上昇させようとするので、両セード３１、３２の枠部３７が、互いに押し合うようになる。
【００２１】
さらに、ネジ３３を締付けるに伴い、上下一方のセード３１（３２）の最も基端側の突起３７２ａが他方のセード３２（３１）の枠部３７に当接して支点となり、突起３７２ａよりも先端側に位置するネジ３３が力点となって、先端部が作用点となるので、両セード３１、３２が互いに押し合うことになる。
【００２２】
以上、説明した本発明の実施形態にかかる照明器具１０によれば、壁面１１に取り付けられたベースプレート２２の前面２２１に、一対のセード３１、３２の基端部をネジ３３により取り付ける際に、一対のセード３１、３２の先端部が相互に押し付けあうようにしたので、上下に２分割されたセード３１、３２の前端部の垂れ下がりを防止して隙間を均一にし、外観を改善することができる。
【００２３】
また、一対のセード３１、３２の少なくとも一方のセード３１（３２）の先端部には、他方のセード３２（３１）の先端部に当接する複数個の突起３７２が設けられているので、両セード３１、３２の突合せ部分である枠部３７の隙間を突起３７２の高さで一定にすることができる。
また、突起３７２の高さを変えることにより、枠部３７間の隙間を用意に変えることができる。
【００２４】
なお、本発明の照明器具は、前述した実施形態に限定されるものでなく、適宜な変形，改良等が可能である。
例えば、前述した実施形態においては、器具本体２０のブラケット２４ａ、２４ｂに取付けられるセード３１、３２の内側面３６３に傾斜を設けたが、これに代わって、ブラケット２４ａ、２４ｂの方に傾斜を設けることもできる。
【符号の説明】
【００２５】
１０  照明器具
１１  壁面（被取付面）
２０  器具本体
２１  ランプ（光源）
２２  ベースプレート
２２１  前面（一方の面）
２２２  背面（他方の面）
２３  ソケット
２４ａ、２４ｂ  ブラケット
３０  セード
３１  上セード（一対のセード）
３２  下セード（一対のセード）
３３  ネジ（締結具）
３７  枠部（先端部）
３７２  突起
【図１】
2010272294.tif 000003
【図２】
2010272294.tif 000004
【図３】
2010272294.tif 000005
【図４】
2010272294.tif 000006
【図５】
2010272294.tif 000007
【図６】
2010272294.tif 000008
【図７】
2010272294.tif 000009